(57)【要約】本発明は、薬剤の充填時に薬剤の整列を容易に行える薬剤払出装置を提供する。薬剤ケース１に上下方向に積載して収容した複数の薬剤１００を最下段のものから水平方向に押し出して払い出す薬剤払出装置において、薬剤ケース１の正面に扉７を設け、該扉７を閉鎖したときに充填した複数の薬剤１００の前端を押圧して後端を整列させる薬剤整列手段（第２扉）１１を扉７の内面に設ける。
2004035437.tif 000002
【特許請求の範囲】
【請求項１】
薬剤ケースに上下方向に積載して収容した複数の薬剤を最下段のものから水平方向に押し出して払い出す薬剤払出装置において、前記薬剤ケースの正面に扉を設け、該扉を閉鎖したときに充填した複数の薬剤の前端を押圧して後端を整列させる薬剤整列手段を前記扉の内面に設けたことを特徴とする薬剤払出装置。
【請求項２】
前記扉は、外側に位置する第１扉と内側に位置する第２扉とで構成し、該第２扉を前記薬剤整列手段としたことを特徴とする請求項１に記載の薬剤払出装置。
【請求項３】
前記第１扉と第２扉は、それぞれ異なるヒンジにより開閉可能に設けるとともに、当該第１扉と第２扉の間隔が開放時よりも閉鎖時のほうが小さくなるようにしたことを特徴とする請求項２に記載の薬剤払出装置。
【請求項４】
前記第１扉と第２扉は、第１扉が開閉するとこれに連動して第２扉が開閉するように連動機構を設けたことを特徴とする請求項３に記載の薬剤払出装置。
【請求項５】
前記第２扉が閉鎖位置にあることを検出するセンサを設け、該センサにより前記第２扉が閉鎖位置にあることが検出されたときに薬剤の払出し動作を可能にしたことを特徴とする請求項２から４のいずれかに記載の薬剤払出装置。
【請求項６】
前記扉は、上下方向に摺動可能にするとともに、所定の開放位置および閉鎖位置で下方向に摺動してロックされるようにしたことを特徴とする請求項１から５のいずれかに記載の薬剤払出装置。
【発明の詳細な説明】
【技術分野】  本発明は薬剤払出装置に関する。
【背景技術】  従来、図７に示すブリスターパック１００や、図８に示すヒート錠剤１０１、図９に示す特殊アンプル１０２のような包装された薬剤を、薬剤師の要求に応じて払い出す薬剤払出装置では、薬剤ケースに複数の薬剤を上下方向に積載し、最下段のものから水平方向に押し出して払い出すようになっている（特許文献はなし）。
この種の薬剤払出装置では、薬剤が欠品すると、薬剤ケースに薬剤を積載して充填するが、このとき薬剤の端面が上下方向に整列せずに前後方向にずれていると、最下段の薬剤を水平方向に押し出す押出し機構が正常に動作しない場合がある。このため、薬剤の充填時には、薬剤の後端面が面一に整列するように揃える必要があり、充填作業が煩雑になっていた。
【発明の開示】
本発明は、前記従来の問題点に鑑みてなされたもので、薬剤の充填時に薬剤の整列を容易に行うことができる薬剤払出装置を提供することを目的とする。
前記課題を解決するための手段として、本発明は、薬剤ケースに上下方向に積載して収容した複数の薬剤を最下段のものから水平方向に押し出して払い出す薬剤払出装置において、前記薬剤ケースの正面に扉を設け、該扉を閉鎖したときに充填した複数の薬剤の前端を押圧して後端を整列させる薬剤整列手段を前記扉の内面に設けたものである。
前記手段によると、薬剤ケースの扉を開放して薬剤を充填し、そのまま扉を閉鎖すると、薬剤整列手段が充填した複数の薬剤の前端を押圧して後端を整列させるので、薬剤を充填した際に、手動で薬剤を整列させる必要がなく、薬剤の充填作業を容易に行うことができる。
前記扉は、外側に位置する第１扉と内側に位置する第２扉とで構成し、該第２扉を前記薬剤整列手段とすることができる。これにより、第２扉の全面を使用して複数の薬剤の前端を押圧することができ、薬剤を面一に奇麗に整列させることができる。
前記第１扉と第２扉は、それぞれ異なるヒンジにより開閉可能に設けるとともに、当該第１扉と第２扉の間隔が開放時よりも閉鎖時のほうが小さくなるようにすることができる。これにより、薬剤ケースの幅を小さくすることができ、薬剤ケースを高密度に配置することができる一方、薬剤を薬剤ケース内のできるだけ後方側に整列させることができ、積載した薬剤の下方に配置される薬剤押出し機構の構造およぼ配置が容易になる。
前記第１扉と第２扉は、第１扉が開閉するとこれに連動して第２扉が開閉するように連動機構を設けることができる。これにより、扉の開閉を容易に行うことができる。
前記第２扉が閉鎖位置にあることを検出するセンサを設け、該センサにより前記第２扉が閉鎖位置にあることが検出されたときに薬剤の払い出しを可能にすることができる。これにより、扉が閉じられて薬剤が完全に整列された状態で薬剤の払出動作を行うことができる。
前記扉は、上下方向に摺動可能にするとともに、所定の開放位置および閉鎖位置で下方向に摺動してロックされるようにすることができる。これにより、簡単な構成で扉をロックすることができる。また、扉を開放した際には、扉が所定の開放位置にロックされて薬剤の充填中に動くことがないので、充填作業が円滑に行えるとともに、扉を閉鎖した際には、扉が所定の閉鎖位置にロックされるので、不意に扉が開いて薬剤が落下することがなく、安全である。
【図面の簡単な説明】  図１は、本発明にかかる薬剤払出装置の扉を開放した状態を示す正面図。
図２は、図１の薬剤払出装置の左側面図。
図３は、図１の薬剤払出装置の扉を閉鎖した状態を示す左側面図。
図４（ａ）は扉の開放状態、（ｂ）は扉の閉鎖状態、（ｃ）は扉の閉鎖状態をそれぞれ示す平面図。
図５（ａ）はロック解除状態、（ｂ）はロック状態の扉の下部拡大断面図。
図６（ａ）はロック解除状態、（ｂ）はロック状態の扉の断面図、（ｃ）はロック状態の扉の部分斜視図。
図７は、ブリスターパックの一例を示す斜視図。
図８は、ヒート錠剤の一例を示す斜視図。
図９は、箱入り特殊アンプルの一例を示す斜視図。
【発明を実施するための最良の形態】  以下、本発明の実施形態について説明する。
図１−３は、本発明にかかる薬剤払出装置を示す。この薬剤払出装置は、薬剤ケース１と、該薬剤ケース１の下端に一体に設けられた下部ケース２とを有し、下部ケース２には薬剤押出し機構３が収容されている。
薬剤ケース１は、正面、底面、および背面の下部にそれぞれ開口部４，５，６が形成された縦長の矩形の箱からなり、正面の開口部４は扉７によって開閉可能になっている。薬剤ケース１は、本実施形態では、図７に示すブリスターパックからなる複数の薬剤１００が上下方向に積載して収容されるようになっている。薬剤ケース１の内部の奥側には、収容される薬剤１００のサイズに応じて前後方向に位置調整可能な整列板８が設けられている。同様に、薬剤ケース１の内部の左側には、左右方向に位置調整可能な整列板９（図４（ａ）参照）が設けられている。
扉７は、前記薬剤ケース１の開口部４を開閉するもので、外側に位置する第１扉１０と内側に位置する第２扉１１とからなっている。第１扉１０の外面には取手１２が取り付けられている。第１扉１０は、左側の上端および下端に形成されたヒンジ凹部１３ａ，１３ｂに、薬剤ケース１の上壁から突出する突出片１５に下向きに突設されたヒンジ突部１４ａと、薬剤ケース１と下部ケース２の間の棚部１６に上向きに突設されたヒンジ突部１４ｂとをそれぞれ嵌合することで、薬剤ケース１の開口部４を略９０°開閉可能になっている。同様に、第２扉１１は、左側の上端および下端に形成されたヒンジ凹部１７ａ，１７ｂに、薬剤ケース１の突出片１５に下向きに突設されたヒンジ突部１８ａと、棚部１６に上向きに突設されたヒンジ突部１８ｂとをそれぞれ嵌合することで、薬剤ケース１の開口部４を略９０°開閉可能になっている。第２扉１１は、本発明の薬剤整列手段を構成している。
第２扉１１のヒンジ突部１８ａ，１８ｂは、図４に示すように、第１扉１０のヒンジ突部１３ａ，１３ｂより斜め後方に配置され、これにより、図４（ａ）に示すように、扉７を９０°開放したときの第１扉１０と第２扉１１の間隔Ａは、図４（ｃ）に示すように、扉７を閉鎖したときの第１扉１０と第２扉１１の間隔Ｂより小さくなっている。したがって、間隔Ａが狭いので、薬剤ケース１の幅を小さくすることができ、薬剤ケース１を高密度に配置することができる。また、間隔Ｂが大きいので、薬剤１００を薬剤ケース１内のできるだけ後方側に整列させることができ、これに伴って薬剤押出し機構３も後方に配置することができ、下部ケース１の下端から薬剤ケース１の突出量が少なくなり、装置の構造および配置が容易になる。
第１扉１０の上端および下端には内側に向かって突出するカバー板１９が設けられ、該カバー板１９にはヒンジ凹部１３ａ，１３ｂの近傍から斜めに延びる長孔２０が形成されている。一方、第２扉１１の上端および下端には、第１扉１０のカバー板１９に重なるように、突片２１が設けられ、該突片２１には前記第１扉１０のカバー板１９の長孔２０に係合するピン２２が突設されている。ピン２２と長孔２０は本発明の連動機構を構成している。この連動機構により、図４（ａ）〜（ｃ）に示すように、第１扉１０が開閉すると、ピン２２が長孔２０を摺動し、第１扉１０に連動して第２扉１１が開閉するようになっている。
第２扉１１の下端のヒンジ凹部１７ｂの近傍には、扉７の閉鎖時に、図５に示すように、薬剤ケース１の底の適宜箇所に設けた閉鎖位置検出センサ２３に押接する突起２４が設けられている。閉鎖位置検出センサ２３は、マイクロスイッチからなり、該マイクロスイッチがオンすると、後述する薬剤押出し機構３が通電されて動作可能となる。
前記第１扉１０および第２扉１１は、ヒンジ凹部１３ａ，１３ｂ，１７ａ，１７ｂとヒンジ突部１４ａ，１４ｂ，１８ａ，１８ｂが嵌合したまま上下方向に所定範囲内で摺動可能になっている。また第１扉１０の下側のカバー板１９の下面には、下向きにロック片２５が突設されている。このロック片２５は、図６に示すように、扉７が９０°開放されたときには、棚部１６の前縁に係合して扉７を開放状態にロックし、扉７が閉鎖されたときには、棚部１６の後縁に係合して扉７を閉鎖状態にロックする本発明のロック機構を構成している。
前記下部ケース２の正面には、図１に示すように、欠品表示用発光ランプ２６と、エラー表示用発光ランプ２７と、エラー解除ボタン２８が配設されている。欠品表示用発光ランプ２６は、図示しないセンサにより薬剤１００の欠品が検出されると点灯するようになっている。エラー表示用発光ランプ２７は、欠品状態でない場合に薬剤１００の詰まり等によって薬剤１００の払出し動作を行っても図示しないセンサにより薬剤１００の払出しが検出されないときに点灯するようになっている。エラー解除ボタン２８は、薬剤１００の詰まりを除去してエラーを解除した後、装置を再起動させるために押すものである。
下部ケース２内に収容された薬剤押出し機構３は、図２に示すように、前記薬剤ケース１に収容された最下段の薬剤１００が載置される２条のレール３０と、該レール３０の下方にレール３０に沿って配置され、モータにより正逆転駆動可能なスクリュねじ３１と、該スクリュねじ３１に沿って往復移動可能な押出爪３２とからなっている。押出爪３２は、スクリュねじ３１に螺合された基台３３に、図２に示すような起立位置と倒伏位置との間でピン３４の回りに回動可能に取り付けられ、図示しないばねにより起立位置に向かって付勢されている。
前記薬剤払出装置は、同形状のものが左右に配置されるともに、複数段にわたって配置され、異なる薬剤１００を払い出すことができるようになっている。
次に、前記構成からなる薬剤払出装置の動作について説明する。
まず、薬剤１００の払出し動作について説明すると、スクリュねじ３１を正転して押出爪３２を後方に向かって移動させる。これにより、薬剤ケース１内に積層された複数の薬剤１００のうち最下段の薬剤１００は、図２中実線で示す始端位置で起立状態にある押出爪３２に押圧され、後方に向かってレール３０上を移動して押し出され、図示しないトレイに収容された後、所定の径路を経て外部に払い出される。最下段の薬剤１００が押し出されると、２段目の薬剤１００がレール３０上に自重で降下する。続いて、スクリュねじ３１を逆転させる。これにより、図中２点鎖線で示す終端位置にある押出爪３２´が前方に向かって移動し、薬剤１００の後端に当接して倒伏状態となり、薬剤１００の下を通って実線で示す始端位置に戻って起立状態となる。以上の動作を繰り返すことで、薬剤１００を順次払い出すことができる。
薬剤１００が欠品すると、薬剤ケース１の扉７を開放して薬剤ケース１に薬剤１００を積み重ねて充填する。扉７の開放は、取手１２を持って上方に摺動させ、図５（ａ）に示すように、ロック片２５と棚部１６の後端との係合を解除してから行う。第１扉１０を開放してゆくと、これに連動して第２扉１１が開放される。扉７が９０°開放されると、図６（ａ）に示すように、ロック片２５が棚部１６から外れて下方に摺動し、棚部１６の前端に係合するので、扉７は開放状態にロックされる。
扉７が開放されると、薬剤１００を薬剤ケース１に充填する。このとき、薬剤１００を順次積載してゆくだけでよく、薬剤１００を整列させる必要はない。なお、扉７を開放したとき、図５（ａ）に示すように、扉７の突起２４が閉鎖位置検出センサ２３から離脱するので、薬剤押出し機構３への通電が遮断され、駆動が不能とされる。したがって、薬剤１００の充填中に薬剤１００の払出動作が行われることがなく、安全である。また、前述のように扉７は開放状態にロックされているので、薬剤１００の充填中に動くことがなく、充填作業が円滑に行える。
薬剤ケース１内への薬剤１００の充填が終了すると、扉７を閉鎖する。扉７の閉鎖は、開放時と同様に、扉７の取手１２を持って上方に摺動させ、ロック片２５と棚部１６の前端との係合を解除してから行う。第１扉１０を閉鎖してゆくと、図４（ａ）から（ｃ）に示すように、これに連動して第２扉１１が閉鎖される。そして、扉７が完全に閉鎖されると、図４（ｃ）に示すように、第２扉１１の内面が充填した複数の薬剤１００の前端を押圧して後端が整列板８に当接することで整列させられる。扉７を押し戻したとき、図６（ｂ）に示すように、ロック片２５が棚部１６から外れて下方に摺動し、棚部１６の後端に係合するので、扉７は閉鎖状態にロックされる。また、扉７を閉鎖したとき、図５（ｂ）に示すように、扉７の突起２４が閉鎖位置検出センサ２３を押接するので、錠剤押出し機構３の駆動が可能となる。
なお、前記実施形態では第１扉１０と第２扉１１の連動機構としてピンと長孔とで構成したが、これに限定されるものではなく、ギヤ、プーリ等で構成してもよい。
また、前記実施形態は、図７に示すブリスターパックを払い出す薬剤払出装置であるが、図８に示すヒート錠剤や、図９に示す箱入りの特殊アンプル等を払い出す薬剤払出装置にも同様の構造で適用可能である。
【図１】
2004035437.tif 000003
【図２】
2004035437.tif 000004
【図３】
2004035437.tif 000005
【図４】
2004035437.tif 000006
【図５】
2004035437.tif 000007
【図６】
2004035437.tif 000008
【図７】
2004035437.tif 000009
【図８】
2004035437.tif 000010
【図９】
2004035437.tif 000011
【国際調査報告】
2004035437.tif 000012
2004035437.tif 000013
2004035437.tif 000014
2004035437.tif 000015